(57)【特許請求の範囲】
【請求項１】
内容物が収容されるカップ本体と、
前記カップ本体の上端部に装着されるとともに、前記カップ本体の上方に配設された本体板を有する蓋体と、を備える蓋付カップ容器であって、
前記蓋体が、前記本体板の外周縁から下方に向けて延びる周壁と、前記周壁の下端からカップ径方向の外側に向けて突出する蓋体フランジ部と、該蓋体フランジ部の外周縁から下方に向けて延設され、内周面に前記カップ本体の上端からカップ径方向の外側に突出するカップフランジ部の下面を支持する支持突部が形成された装着筒と、を有し、
前記蓋体フランジ部には、前記支持突部に対応する位置に配されカップ周方向に沿って延在するスリットと、該スリットよりもカップ径方向の外側に配設されたリブと、が設けられていることを特徴とする蓋付カップ容器。
【請求項２】
前記リブは、前記スリットの全長にわたって延在することを特徴とする請求項１に記載の蓋付カップ容器。
【請求項３】
前記蓋体を覆うオーバーキャップをさらに備えることを特徴とする請求項１または２に記載の蓋付カップ容器。
【発明の詳細な説明】
【技術分野】
【０００１】
本発明は、蓋付カップ容器に関するものである。
【背景技術】
【０００２】
従来から、例えば下記特許文献１に示されるような、内容物が収容されるとともに、上端開口部がシール材によって封止されたカップ本体と、カップ本体の上端部に装着されるとともに、シール材の上方を覆う蓋体と、を備える蓋付カップ容器が知られている。
【先行技術文献】
【特許文献】
【０００３】
【特許文献１】特許第３６０７００２号公報
【発明の概要】
【発明が解決しようとする課題】
【０００４】
しかしながら、前記従来の蓋付カップ容器では、構造の複雑化を防ぎつつ、蓋体をカップ本体に対して容易かつ確実に嵌合させることに改善の余地があった。
【０００５】
本発明は、このような事情を考慮してなされたもので、構造の複雑化を防ぎつつ、蓋体をカップ本体に対して容易かつ確実に嵌合させることができる蓋付カップ容器を提供することを目的とする。
【課題を解決するための手段】
【０００６】
上記課題を解決して、このような目的を達成するために、本発明の蓋付カップ容器は、内容物が収容されるカップ本体と、前記カップ本体の上端部に装着されるとともに、前記カップ本体の上方に配設された本体板を有する蓋体と、を備える蓋付カップ容器であって、前記蓋体が、前記本体板の外周縁から下方に向けて延びる周壁と、前記周壁の下端からカップ径方向の外側に向けて突出する蓋体フランジ部と、該蓋体フランジ部の外周縁から下方に向けて延設され、内周面に前記カップ本体の上端からカップ径方向の外側に突出するカップフランジ部の下面を支持する支持突部が形成された装着筒と、を有し、前記蓋体フランジ部には、前記支持突部に対応する位置に配されカップ周方向に沿って延在するスリットと、該スリットよりもカップ径方向の外側に配設されたリブと、が設けられていることを特徴とする。
【０００７】
この発明によれば、蓋体フランジ部にスリットとカップ周方向で対応するリブとを形成することにより、蓋体をカップ本体のカップフランジ部上に載置した状態で蓋体フランジ部全体を上方から押し込むことによる装着動作を安定させることができる。
例えば、スリットがあってもリブが無い場合、蓋体をカップ本体のカップフランジ部上に載置した状態で蓋体フランジ部全体を上方から押し込むと、装着筒のうちカップ周方向でスリットに対応する部分が他の部分よりもカップ径方向の外側へ広がるように弾性変形しやすいので、蓋体の押し込みを解除して装着筒が復元変位したときに装着筒の支持突部がカップ本体のカップフランジ部の下面に係止できず、蓋体をカップ本体に装着できないことがある。
しかし、本発明ではスリットに対応させてリブを形成することにより、装着筒のうちカップ周方向でリブに対応する部分は、他の部分よりもリブの高さに対応するカップ軸方向の下方に押し込まれ、支持突部は、カップフランジ部の下面に係止する。そのため、蓋体の押し込みを解除して装着筒が復元変位しても装着筒の支持突部がカップ本体のカップフランジ部の下面に係止でき、蓋体のカップ本体に対する装着動作が安定する。このように、蓋体に、スリット、リブ及び支持突部を備えることで、カップ本体に装着しやすく、かつ、一旦嵌ると抜けにくいといった、優れた嵌合性を具備することができる。
また、蓋体のわずかな構造変更で対応できるため、蓋体をカップ本体に対して容易かつ確実に嵌合させるために既存の設備を変更する必要性が無く、低い打栓圧での嵌合が可能である。
【０００８】
本発明の蓋付カップ容器は、内容物が収容されるとともに、上端開口部がシール材によって封止されたカップ本体と、前記カップ本体の上端部に装着されるとともに、前記シール材の上方に配設された本体板を有する蓋体と、を備える蓋付カップ容器であって、前記本体板に形成された貫通孔内に、第１回動部を介して前記本体板に連結され、かつ第１回動部から前方に向けて延びる切刃部と、前記切刃部におけるカップ周方向の両側に連結されるとともに、各第２回動部を介して前記本体板に各別に連結され、かつ第２回動部から後方に向けて延びる左右一対の操作部と、が配設され、これらの切刃部、操作部、第１回動部、及び第２回動部は、前記本体板と一体に形成され、前記第１回動部、及び前記第２回動部は、前記本体板の平面視で同一直線上に配置されていることを特徴としてもよい。
従って、操作部を引き上げると、切刃部の前端部が下降するように、切刃部及び操作部が一体に第１、第２回動部回りに回動することで、切刃部がシール材に押し付けられシール材が破断される。
このように、操作部を引き上げる操作だけでシール材を破断してカップ本体を開封することが可能になり、優れた開封操作性を具備させることができる。また、操作部が左右一対配設されているので、開封時に、操作部に複数の指をかけることが可能になり、切刃部からシール材に大きな力を安定して加えることができる。
さらに、第１、第２回動部が、本体板の平面視で同一直線上に配置されているので、操作部を引き上げたときに、第１、第２回動部が捩じれるのを防ぐことが可能になり、優れた開封操作性を安定して発揮させることができる。
また、切刃部、操作部、第１回動部、及び第２回動部が、本体板と一体に形成されているので、部品点数が抑えられ構造の複雑化を防ぐことができる。
ここで、前記切刃部には、その前端部に配置され、下方に向けて突出する開封刃と、前記開封刃より後方に配置され、下方に向けて突出し、かつ前記切刃部及び前記操作部を第１、第２回動部回りに一体に回動させたときに、前記シール材に前記開封刃より先に当接する先行刃と、が配設されてもよい。
この場合、切刃部及び操作部を第１、第２回動部回りに一体に回動させたときに、シール材に開封刃より先に先行刃が当接するので、開封刃に先立って先行刃でシール材を破断することが可能になる。したがって、カップ本体の内圧が加圧状態にあったときに、まず後方に位置する先行刃でシール材を破断してカップ本体の内圧を開放した後に、前方に位置する開封刃でシール材を破断することができる。これにより、カップ本体の内圧が加圧状態にあったとしても、カップ本体の開封時に、内容物が外部に飛散するのを防ぐことができる。
また、前記切刃部には、前記開封刃における左右方向の両側から後方に向けて延在し、前記先行刃を、左右方向の両側から囲う一対の囲繞壁が配設されてもよい。
この場合、先行刃が、開封刃及び囲繞壁で囲まれるので、開封刃に先立って先行刃でシール材を破断したときに、この破断部分から内容物が飛び出しても、この飛び出した内容物が、開封刃及び囲繞壁に衝突することによって、外部に飛散するのを抑制することができる。
なお、囲繞壁の下端縁を下方に向けて尖らせて、開封刃とともにシール材を破断するようにしてもよい。
【発明の効果】
【０００９】
本発明によれば、構造の複雑化を防ぎつつ、蓋体をカップ本体に対して容易かつ確実に嵌合させることができる。
【図面の簡単な説明】
【００１０】
【図１】本発明に係る容器本体の一例を示した蓋付カップ容器の縦断面図である。
【図２】図１に示す蓋付カップ容器のＡ部拡大図である。
【図３】図１に示す蓋付カップ容器の蓋体の上面図である。
【図４】図１に示す蓋付カップ容器の蓋体の下面図である。
【図５】図１に示す蓋付カップ容器の蓋体の開封刃を前方から見た正面図である。
【図６】本発明にかかる実施形態として示した蓋付カップ容器の縦断面図である。
【図７】図６に示す蓋付カップ容器の蓋体の上面図である。
【図８】図６に示す蓋付カップ容器の蓋体の下面図である。
【発明を実施するための形態】
【００１１】
以下、図面を参照し、本発明に係る蓋付カップ容器１について説明する。
本実施形態の蓋付カップ容器１は、図１に示されるように、内容物が収容されるカップ本体１１と、カップ本体１１に装着された蓋体１２と、蓋体１２を覆うオーバーキャップ１３と、を備えている。
カップ本体１１は有底筒状に形成され、蓋体１２及びオーバーキャップ１３はそれぞれ有頂筒状に形成されている。そして、カップ本体１１、蓋体１２及びオーバーキャップ１３それぞれの中心軸線は、共通軸と同軸に配置されている。以下、この共通軸を容器軸Ｏといい、容器軸Ｏ方向に沿うカップ本体１１の底部１１ａ側を下側、これとは反対側を上側といい、容器軸Ｏに沿う方向を上下方向という。また、容器軸Ｏ方向から見た平面視において、容器軸Ｏに直交する方向をカップ径方向といい、容器軸Ｏ回りに周回する方向をカップ周方向という。
【００１２】
カップ本体１１の上端には、カップ径方向の外側に向けて突出し、かつ全周にわたって連続して延びる第１フランジ部１１ｂが形成されている。この第１フランジ部（カップフランジ部）１１ｂにシール材１４が固着されることによって、カップ本体１１の上端開口部１１ｅが封止されている。
なお、カップ本体１１の下部には、カップ径方向の内側に向けて突出する支持突起１１ｄが、カップ周方向に間隔をあけて複数形成されている。この支持突起１１ｄは、カップ本体１１内に、他のカップ本体１１が底部１１ａ側から挿入された状態で、他のカップ本体１１の底部１１ａの外周縁部を支持する。これにより、両カップ本体１１の密接を防止し、複数積み重ねられたカップ本体１１を個別に容易に取り出すことができる。
【００１３】
そして、本実施形態では、第１フランジ部１１ｂは、図２に示されるように、カップ本体１１の内圧が上昇したときに、第１フランジ部１１ｂが水平になるように、カップ径方向の内側から外側に向かうに従い漸次下方に向けて延在している。
また、カップ本体１１の内周面における上端部には、カップ径方向の内側に向けて張り出し、かつ上面が第１フランジ部１１ｂの上面に段差なく連なる張出部１１ｃが形成されている。張出部１１ｃは、カップ周方向の全周にわたって連続して延在している。張出部１１ｃの下端は、カップ本体１１の内周面に段差なく連なっている。張出部１１ｃの上端におけるカップ径方向の内端が、カップ径方向の内側に向けて尖るように、この部分の、カップ本体１１の縦断面視でなす曲率半径が、例えば約０．２ｍｍと極力小さくなっている。
【００１４】
そして、シール材１４が、第１フランジ部１１ｂ及び張出部１１ｃの各上面の全域にわたって一体に固着されている。
このように、シール材１４を、第１フランジ部１１ｂの上面のみならず、張出部１１ｃの上面にも固着することによって、シール材１４のカップ本体１１に対する固着面積が、カップ径方向の内側に拡げられることとなり、カップ本体１１の内圧上昇時に、シール材１４が上方に膨出変形するのを抑えることができる。
【００１５】
蓋体１２は、カップ本体１１の上端部に装着されている。
蓋体１２は、シール材１４の上方に配設された本体板２１と、本体板２１の外周縁から下方に向けて延びる周壁２２と、周壁２２の下端からカップ径方向の外側に向けて突出し、かつ全周にわたって連続して延びる第２フランジ部（蓋体フランジ部）２３と、第２フランジ部２３におけるカップ径方向の外端から下方に向けて延在し、カップ本体１１の第１フランジ部１１ｂに外嵌された装着筒２４と、を備えている。
【００１６】
装着筒２４には、カップ径方向の内側に向けて突出し、かつ第１フランジ部１１ｂの下面を支持する支持突部２４ａが形成されている。支持突部２４ａは、装着筒２４に、カップ周方向に間隔をあけて複数形成されている。図示の例では、支持突部２４ａは、カップ周方向に同等の間隔をあけて１１個配置されている。つまり、複数の支持突部２４ａは、装着筒２４の内周面のうち、容器軸Ｏをカップ径方向に挟んで互い対向する位置に対してカップ周方向にずれた位置に配置されている。これにより、支持突部２４ａが第１フランジ部１１ｂを下方に乗り越えて、蓋体１２がカップ本体１１の上端部に装着される際に、蓋体１２に加えるカップ本体１１に向けた押し付け力が過度に高くなるのを抑制することができる。  
【００１７】
そして、本実施形態では、図３及び図４に示されるように、本体板２１に形成された貫通孔２５内に、第１回動部３１を介して本体板２１に連結され、かつ第１回動部３１から前方に向けて延びる切刃部３２と、切刃部３２におけるカップ周方向の両側に連結されるとともに、各第２回動部３３を介して本体板２１に各別に連結され、かつ第２回動部３３から後方に向けて延びる左右一対の操作部３４と、が配設されている。
貫通孔２５は、前後方向に延びる左右一対の側部２５ａと、各側部２５ａの前端同士を連結する前部２５ｂと、により構成され、本体板２１の平面視で、後方に向けて開口するＵ字状を呈している。
また、第１、第２回動部３１、３３は、本体板２１、切刃部３２、及び操作部３４より薄肉に形成されたヒンジとなっている。
【００１８】
切刃部３２は、貫通孔２５の前部２５ｂに配置され、操作部３４は、貫通孔２５の側部２５ａに配置されている。
切刃部３２は、本体板２１の平面視で、後方から前方に向かうに従い漸次、左右方向の幅が小さくなる三角形状を呈している。なお、切刃部３２における左右方向の両端部が、貫通孔２５の内周縁に、破断可能なブリッジ２１ｂを介して連結されている。
ここで、前記三角形状を構成する３つの辺部のうちの１つが、左右方向に延びる切刃部３２の後端部３２ａを構成している。また、前記三角形状を構成する３つの頂部のうちの１つが、左右方向の中央部に位置する切刃部３２の前端部を構成している。切刃部３２の前端部には、下方に向けて突出する開封刃３５が配設されている。開封刃３５は、図５に示されるように、左右方向に延びる壁部とされ、その前面が貫通孔２５の内周縁における前端に近接している。開封刃３５の下端部には、下方に向けて尖る切刃３５ａが左右方向に沿って複数連ねられて形成されている。
【００１９】
切刃部３２には、図１及び図４に示されるように、開封刃３５より後方に配置され、下方に向けて尖り、かつ切刃部３２及び操作部３４を第１、第２回動部３１、３３回りに一体に回動させたときに、シール材１４に開封刃３５より先に当接する先行刃３６が配設されている。先行刃３６は、開封刃３５と比べて、シール材１４に形成する破断開口が小さくなるように、左右方向の幅が小さくされ、開封刃３５に隣接している。また、先行刃３６は、切刃部３２における左右方向の中央部に配設されている。先行刃３６及び開封刃３５それぞれの下端縁の上下方向に沿う位置が互いに同等になっている。なお、先行刃３６及び開封刃３５それぞれの下端縁の上下方向に沿う位置を互いに異ならせてもよい。
【００２０】
切刃部３２には、開封刃３５における左右方向の両側から後方に向けて延在し、先行刃３６を、左右方向の両側から囲う一対の囲繞壁３７が配設されている。囲繞壁３７は、開封刃３５に連結されており、先行刃３６は、開封刃３５により前側が覆われ、一対の囲繞壁３７により左右方向の両側が覆われている。囲繞壁３７の下端縁は、先行刃３６及び開封刃３５それぞれの下端縁より上方に位置している。囲繞壁３７の下端縁は、下方に向けて尖り、シール材１４を破断可能に形成されている。囲繞壁３７の下方に向けた突出量は、後方から前方に向かうに従い漸次大きくなっている。
なお、囲繞壁３７と開封刃３５との間に隙間を設けてもよいし、囲繞壁３７の下端縁は下方に尖らせなくてもよい。また、囲繞壁３７の下方に向けた突出量を、前後方向の全長にわたって同等にしてもよいし、前方から後方に向かうに従い漸次大きくしてもよい。
【００２１】
切刃部３２の後端部３２ａにおいて、左右方向の中央部に第１回動部３１が連結され、左右方向（カップ周方向）の両端部に後方に向けて突出する操作部３４が連結されている。
操作部３４は、切刃部３２から後方だけでなく左右方向の外側にも突出しており、この突出した部分における前端部に第２回動部３３が連結されている。第１回動部３１、及び第２回動部３３は、本体板２１の平面視で同一直線上に配置されている。
操作部３４の下面のうち、第２回動部３３との接続部分には、下方に向けて突出し、かつ後方に向けて延びる補強リブ３４ｂが形成されている。補強リブ３４ｂにより、操作部３４の引き上げ時に操作部３４が変形するのを抑制することができる。
【００２２】
操作部３４における後端縁３４ａと左右方向の内端縁３４ｃとの接続部分には、本体板２１の平面視で、後方から前方に向かうに従い漸次、左右方向の外側から内側に向けて延びる面取り部３４ｄが形成されている。
操作部３４は、上方に向けて膨出し、かつ後半分が排除されて後方に向けて開口したドーム状に形成されている。
ここで、操作部３４が前述のようなドーム状に形成されているだけでなく、操作部３４に面取り部３４ｄも形成されているので、操作部３４の下方に指を差込み易くなっている。
なお、操作部３４は、本体板２１より上方に膨出している。また、切刃部３２の上面は、本体板２１の上面と面一となっている。
操作部３４の後端縁３４ａは、図３及び図４に示されるように、左右方向の外側から内側に向かうに従い漸次前方に向けて窪む曲線状に形成されている。操作部３４の後端縁３４ａは、貫通孔２５の側部２５ａにおける後端から前方に離れており、貫通孔２５の側部２５ａのうち、その後端と操作部３４の後端縁３４ａとの間に位置する部分に、指が挿入可能となっている。
以上の切刃部３２、操作部３４、第１回動部３１、及び第２回動部３３は、本体板２１と一体に形成されている。
なお、第１回動部３１における左右方向の中央部には、左右方向に延びるスリット３１ａが形成されている。
【００２３】
本体板２１には、図１及び図４に示されるように、下方に向けて突出する穿刺部２１ａが形成されている。穿刺部２１ａは、カップ本体１１の内圧が過度に上昇し、シール材１４が上方に大きく膨出変形したときに、シール材１４に当接してシール材１４を破断させ、カップ本体１１の内圧を開放する。
穿刺部２１ａは、本体板２１において、貫通孔２５における前部２５ｂ及び一対の側部２５ａで囲まれた半島部分２１ｅに配設されている。図示の例では、穿刺部２１ａは、本体板２１の中央部に配設され、前方から後方に向かうに従い漸次下方に向けて突出する先鋭形状に形成されている。なお、穿刺部２１ａの下端縁は、先行刃３６及び開封刃３５それぞれの下端縁より上方に位置し、囲繞壁３７の下端縁より下方に位置している。また、本体板２１の半島部分２１ｅは、前後方向に長い長方形状の板状に形成されている。
ここで、半島部分２１ｅの下面には、下方に向けて突出する第１突リブ２１ｃ及び第２突リブ２１ｄが形成されている。これらの第１、第２突リブ２１ｃ、２１ｄにより半島部分２１ｅの曲げ剛性が高められるので、シール材１４が上方に大きく膨出変形し、穿刺部２１ａに押し付けられたときに、半島部分２１ｅが上方に撓むのを抑制することが可能になり、穿刺部２１ａによりシール材１４を確実に破断させることができる。
図示の例では、第１突リブ２１ｃは、穿刺部２１ａをカップ径方向の外側から囲繞している。また、第１突リブ２１ｃは、本体板２１の平面視で、前方に向けて開口するＣ字状を呈している。
第２突リブ２１ｄは、半島部分２１ｅにおける前後方向の全長にわたって延在し、左右方向に間隔をかけて複数形成されている。
【００２４】
なお、図１及び図３に示されるように、貫通孔２５の内周縁のうちの前端は、周壁２２の内周面と面一となっている。また、本体板２１の外周縁部のうち、貫通孔２５の前部２５ｂに隣接する部分は、カップ周方向の外側から内側に向かうに従い漸次上方に向けて延在している。これに伴い、周壁２２も、貫通孔２５の前部２５ｂに隣接する部分が、カップ周方向の外側から内側に向かうに従い漸次上方に向けて延在している。
【００２５】
また、本実施形態では、蓋体１２に、オーバーキャップ１３を装着したときに、オーバーキャップ１３の頂壁部が、操作部３４を押し下げることにより、開封刃３５及び先行刃３６それぞれの下端縁を、上昇させ上下方向に沿う所期した位置に位置させる。これにより、開封刃３５及び先行刃３６それぞれの下端縁が、シール材１４に当接するのを防止することができる。
また、蓋体１２にオーバーキャップ１３が装着された状態において、オーバーキャップ１３の頂壁部が、操作部３４に当接若しくは近接しているので、開封刃３５及び先行刃３６それぞれの下端縁が下方に移動するように、切刃部３２及び操作部３４が第１、第２回動部３１、３３回りに回動しようとしたときに、操作部３４が、オーバーキャップ１３の頂壁部に係止されることとなり、この回動を抑制することができる。
以上より、オーバーキャップ１３が装着された蓋体１２をカップ本体１１に装着する時、並びにこの蓋付カップ容器１の流通時に、開封刃３５及び先行刃３６それぞれの下端縁が、シール材１４に当接するのを確実に防止することができる。
【００２６】
以上説明したように、本実施形態による蓋付カップ容器１によれば、操作部３４を引き上げると、切刃部３２の前端部が下降するように、切刃部３２及び操作部３４が一体に第１、第２回動部３１、３３回りに回動することで、開封刃３５がシール材１４に押し付けられシール材１４が破断される。
このように、操作部３４を引き上げる操作だけでシール材１４を破断してカップ本体１１を開封することが可能になり、優れた開封操作性を具備させることができる。また、操作部３４が左右一対配設されているので、開封時に、操作部３４に複数の指をかけることが可能になり、切刃部３２からシール材１４に大きな力を安定して加えることができる。
さらに、第１、第２回動部３１、３３が、本体板２１の平面視で同一直線上に配置されているので、操作部３４を引き上げたときに、第１、第２回動部３１、３３が捩じれるのを防ぐことが可能になり、優れた開封操作性を安定して発揮させることができる。
また、切刃部３２、操作部３４、第１回動部３１、及び第２回動部３３が、本体板２１と一体に形成されているので、部品点数が抑えられ構造の複雑化を防ぐことができる。
【００２７】
さらに、切刃部３２及び操作部３４を第１、第２回動部３１、３３回りに一体に回動させたときに、シール材１４に開封刃３５より先に先行刃３６が当接するので、開封刃３５に先立って先行刃３６でシール材１４を破断することが可能になる。したがって、カップ本体１１の内圧が加圧状態にあったときに、まず後方に位置する先行刃３６でシール材１４を破断してカップ本体１１の内圧を開放した後に、前方に位置する開封刃３５でシール材１４を破断することができる。これにより、カップ本体１１の内圧が加圧状態にあったとしても、カップ本体１１の開封時に、内容物が外部に飛散するのを防ぐことができる。
【００２８】
さらに、先行刃３６が、開封刃３５及び囲繞壁３７で囲まれるので、開封刃３５に先立って先行刃３６でシール材１４を破断したときに、この破断部分から内容物が飛び出しても、この飛び出した内容物が、開封刃３５及び囲繞壁３７に衝突することによって、外部に飛散するのを抑制することができる。
また、囲繞壁３７の下端縁が下方に向けて尖っているので、切刃部３２及び操作部３４を第１、第２回動部３１、３３回りに一体に回動させたときに、開封刃３５及び囲繞壁３７の双方でシール材１４を破断することが可能になり、シール材１４に広い破断開口を形成することができる。
さらに、第１回動部３１にスリット３１ａが形成されているので、操作部３４を引き上げてシール材１４を破断した後に、切刃部３２及び操作部３４が復元変位するのを抑制することができる。
【００２９】
次に、本発明の実施形態に係る蓋付カップ容器１００について説明する。なお、本実施形態に係る蓋付カップ容器１００は、上述した蓋付カップ容器１とその基本的構成が同様であり、上述した蓋付カップ容器１に別の要素を付加したものである。したがって、図６から図８においては、図１から図５と同一の構成要素に同一符号を付し、その説明を省略する。
【００３０】
本実施形態の蓋付カップ容器１００における蓋体１０１は、図６から図８に示すように、本体板２１と、周壁２２と、第２フランジ部１０２と、装着筒１０３と、を備える。
第２フランジ部１０２の外周縁部には、図７に示すように、周方向に延在する３本のフランジスリット（スリット）１０２ａ及び３本のフランジリブ（リブ）１０２ｂが周方向に間隔をあけて形成されている。
フランジスリット１０２ａは、第２フランジ部１０２の左右両側及び後側に形成されている。すなわち、３本のうち２本のフランジスリット１０２ａは、上面視で切刃部３２の先端を通りかつカップ軸Ｏに直交する中心軸Ｃに対して左右両側に配設されている。
３本のフランジリブ１０２ｂは、フランジスリット１０２ａよりもカップ径方向の外側に配設されており、フランジスリット１０２ａの全長にわたって延在する。  
【００３１】
装着筒１０３の内周面には、図６及び図８に示すように、カップ本体２の第１フランジ部１１ｂの下面に係止する複数の支持突部１０３ａがカップ径方向の内側に向けて周方向に間隔をあけて突設されている。複数の支持突部１０３ａのうちの３つは、平面視で第２フランジ部１０２に形成されたフランジスリット１０２ａと周方向で重なる位置に設けられている。
【００３２】
また、本体板２１に形成されている穿刺部１０４の前端部には、上下方向の全長にわたって解放スリット１０４ａが形成されている、穿刺部１０４は、前方に向けて開口している。これにより、カップ本体１１の開封前に蓋付カップ容器１００を加熱するなどすることによってカップ本体１１の内圧が上昇してシール材１４が上方に膨出変形し、穿刺部１０４がシール材１４を穿刺したときに、解放スリット１０４ａを通してカップ本体２と穿刺部１０４の外部との間の流路を確保し、カップ本体１１の圧力をカップ本体１１の外部に逃がす。
【００３３】
このような構成の蓋付カップ容器１００では、蓋体１０１をカップ本体１１に装着するために、蓋体１０１をカップ本体１１の第１フランジ部１１ｂ上に載置した状態で第２フランジ部１０２全体を上方から押し込むと、装着筒１０３のうちカップ周方向でフランジリブ１０２ｂに対応する部分が、フランジリブ１０２ｂの高さに対応して他の部分よりも下方へ押し込まれる。そのため、装着筒１０３のうちカップ周方向でフランジスリット１０２ａに対応する部分が他の部分よりもカップ径方向外側に弾性変形して、カップ周方向でフランジリブ１０２ｂに対応して形成された支持突部１０３ａは、第１フランジ部１１ｂの外周縁を乗り越えて第１フランジ部１１ｂの下面に係止する。その後、蓋体１０１の押し込みを解除しても、第１フランジ部１１ｂの下面に対する支持突部１０３ａの係止状態が維持される。
【００３４】
本実施形態による蓋付カップ容器１００によれば、第２フランジ部１０２にフランジスリット１０２ａに対してカップ周方向で対応するフランジリブ１０２ｂを形成することにより、蓋体１０１をカップ本体１１の上端開口部１１ｅ上に載置した状態で上方から押し込むことよる装着動作を安定させることができる。したがって、蓋体１０１をカップ本体１１に対して容易かつ確実に嵌合させることができる。
【００３５】
本発明は上記した実施の形態に限定されるものではなく、その趣旨を逸脱しない範囲で適宜変更可能である。
【００３６】
例えば前記実施形態では、先行刃３６及び囲繞壁３７を配設したが、これらを設けなくてもよい。
また、前記実施形態では、開封刃３５の下端部に、下方に向けて尖る切刃３５ａが左右方向に沿って複数連ねられて形成された構成を示したが、切刃３５ａは１つだけであってもよいし、前後方向に複数連ねて形成する等適宜変更してもよい。
また、前記実施形態では、第１、第２回動部３１、３３として、本体板２１、切刃部３２、及び操作部３４より薄肉に形成されたヒンジを示したが、これに限らず適宜変更してもよい。
さらに、前記実施形態では、３本のフランジスリット及び３本のフランジリブをカップ周方向に間隔をあけて形成しているが、少なくとも中心軸Ｃに対して左右両側に設けられていればよく、フランジスリット及びフランジリブは、２本ずつであっても４本以上ずつ形成されてもよい。
また、前記実施形態では、シール材１４やオーバーキャップ１３を備えていたが、これらの有無及びその構成は適宜変更しても良い。
【００３７】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００３８】
１，１００  蓋付カップ容器
１１  カップ本体
１１ｂ  第１フランジ部（カップフランジ部）
１１ｅ  上端開口部
１２，１０１  蓋体
１３  オーバーキャップ
１４  シール材
２１  本体板
２２  周壁
２３，１０２  第２フランジ部（蓋体フランジ部）
２４，１０３  装着筒
２５  貫通孔
３１  第１回動部
３２  切刃部
３３  第２回動部
３４  操作部
３５  開封刃
３６  先行刃
３７  囲繞壁
１０２ａ  フランジスリット（スリット）
１０２ｂ  フランジリブ（リブ）
１０３  装着筒
１０３ａ  支持突部
【図１】
0006461653.tif 000002
【図２】
0006461653.tif 000003
【図３】
0006461653.tif 000004
【図４】
0006461653.tif 000005
【図５】
0006461653.tif 000006
【図６】
0006461653.tif 000007
【図７】
0006461653.tif 000008
【図８】
0006461653.tif 000009